(57)【特許請求の範囲】
【請求項１】
少なくとも一種をシャープペンシルとした２種の筆記体を搭載して、選択的に夫々の筆記先端部を軸筒の先端口から交互に出没可能とした複式筆記具に於いて、軸筒内で交互に前後退位置に位置決めされる一対の摺動コマが配設されると共に、夫々の摺動コマの先端には夫々筆記体が接続され、シャープペンシル側の摺動コマの先方で軸筒の軸心側の側面に凹部が設けられ、その凹部の前面に後方側に傾斜面を有したカム部が形成されて、又、摺動コマの前進位置における摺動コマの凹部側面と同位置の直上で軸筒に窓部が穿設され、該窓部の後端に軸支され先端部が軸筒の軸心側に可動するサイド釦が装着されて、サイド釦の上面を押圧することでサイド釦が前記凹部に挿入すると共に先端部が前記摺動コマのカム部の傾斜面に衝接し、摺動コマを前進させてそれと連動してシャープペンシル筆記体を前進させて芯を繰り出し可能とした複式筆記具。
【請求項２】
２種の筆記体がシャープペンシル筆記体と成された上記請求項１記載の複式筆記具。
【請求項３】
軸筒が先軸と後軸とで構成され、この後軸の内孔に後軸に対し回転可能に配設されると共に前方に２箇所の突起部が形成された回転軸と、後軸の後端に突出した回転軸の後端部に固定された操作体と、後軸に対し操作体と回転軸が回転可能に、且つ、シャープペンシルが突出した状態で軸推移可能に保持されて、前記回転軸の突起部と係合する傾斜状のカム溝が夫々対向する内側に形成された一対の摺動コマが前記後軸の内孔に前後動のみ可能に案内され、前記操作体の回転に伴う回転軸の回転で夫々の摺動コマが交互に前後動して夫々の筆記体の筆記先端部が先軸先端口から出没可能となるように構成されたことを特徴とする上記請求項１または２記載の複式筆記具。
【発明の詳細な説明】
【０００１】
【産業上の利用分野】
本発明は、少なくとも一種をシャープペンシルとした２種の筆記体を搭載して、選択的に夫々の筆記先端部を軸筒の先端口から交互に出没可能とし、シャープペンシルが突出した状態で軸筒の側面に設けたサイド釦を押圧して芯を繰り出せるようにした複式筆記具に関する。
【０００２】
【従来の技術】
一般に、シャープペンシル及びボールペン等の複数の筆記体を搭載して、軸先から選択的にその筆記先端部を出没可能とした複式筆記具が知られている。
又、複式筆記具の筆記先端部の出没機構としては、ノック式のもの、筆記具の軸筒側面から貫出したスライダーを交互に摺動させるスライダー式のもの、傾斜面を備えたカム筒を回転させて行うカム式のものなど種々知られている。
【０００３】
又、軸筒の把持指頭付近に窓部を穿設して窓部内にサイド釦を軸支し、チャックの後方に傾斜面を有した摺動子を設けて、サイド釦の押圧によってその先端部が摺動子の傾斜面に衝接して摺動子を前進させ、チャックを前進させて芯を繰り出すように成した通称サイドノック式シャープペンシルが周知となっている。
【０００４】
【発明が解決しようとする課題】
複数の筆記体を有した所謂複式筆記具は携帯用の筆記具として便利である。
又、サイドノック式のシャープペンシルは一々軸筒を持ち替えなくとも芯を繰り出せる点で便利さがある。
本発明は両者の便利性を備えた極めて使い勝手の良い複式筆記具の提供を可能とすることを目的とする。
【０００５】
【課題を解決するための手段】
本発明の複式筆記具は、少なくとも一種をシャープペンシルとした２種の筆記体を搭載して、選択的に夫々の筆記先端部を軸筒の先端口から交互に出没可能とした複式筆記具に於いて、軸筒内で交互に前後退位置に位置決めされる一対の摺動コマが配設されると共に、夫々の摺動コマの先端には夫々筆記体が接続され、シャープペンシル側の摺動コマの先方で軸筒の軸心側の側面に凹部が設けられ、その凹部の前面に後方側に傾斜面を有したカム部が形成されて、又、摺動コマの前進位置における摺動コマの凹部側面と同位置の直上で軸筒に窓部が穿設され、該窓部の後端に軸支され先端部が軸筒の軸心側に可動するサイド釦が装着されて、サイド釦の上面を押圧することでサイド釦が前記凹部に挿入すると共に先端部が前記摺動コマのカム部の傾斜面に衝接し、摺動コマを前進させてそれと連動してシャープペンシル筆記体を前進させて芯を繰り出し可能とする。
【０００６】
【実施例】
先ず、図１乃至図８は本発明の一実施例を示している。図１に於いて、２種のシャープペンシル筆記体２１ａと２１ｂが設けられている。
本発明の意図する複式筆記具は、少なくとも１種をシャープペンシル筆記体としたもので、他をボールペン等筆記体と成すことも可能である。
【０００７】
図１の複式筆記具は、前部に位置した筆記具機構の部分を収納する先軸１８及び後軸１と後軸の後端に配設された操作体９とからなる。又、先軸１８後部内周に雌螺子１９が形成されている。
又、後軸１の前部には雄螺子３が形成され、前記先軸１８の雌螺子１９と螺合されて、必要に応じて取り外されて筆記体の交換などを行う。
又、前記後軸１の内孔後端の内周に後述する回転軸４の回転範囲を規制する回り止め用のリブ１ａ（図３参照）が形成されると共に段部１ｂを有し、又、後軸１の前方内周部所要箇所に軸方向に形成されたガイド用のリブ２が形成されている。
【０００８】
回転軸４は大径部７の前方に小径部５を有し、小径部５の先方周面に突起部６ａとその反対側の周面に突起部６ｂを有している。又、前記大径部７の後方に縮径した軸部７ｂを有し、その軸部７ｂの後方に軸部８ａと後端の鍔部８ｃに割り溝８ｂを備えた係止部８が設けられている。又、前記軸部８ａの周面に後述する操作体９と回転止めする溝８ｄ（又はリブ）が設けられている。
又、前記大径部７の周面に、上記後軸１のリブ１ａが係合して後軸１との間に於いて略１２０度の範囲で回転軸４を回転規制する溝７ａが設けられている。
【０００９】
操作体９は後軸１の後端部に外装する筒部１０と、筒部１０の外周部の一側面から前方に延設したクリップ１２で形成される。クリップ１２先方の内側には玉部が設けられ、又、筒部１０の後端部１０ａの孔部には上記回転軸４の軸部８ａの周面に設けた溝８ｄ（又はリブ）と係合するリブ（又は溝）（図示せず）が設けられており、後述するが、回転軸４の上記鍔部８ｃが後端部１０ａの後端に貫出して回転軸４と操作体９は固着される。
【００１０】
摺動コマ１４ａ，１４ｂの前方の筒部１６ａ，１６ｂにはそれぞれ挿入孔が設けられ、それぞれの挿入孔には後述するシャープペンシル筆記体２１ａ，２１ｂの後端が着脱可能に止着される。
又、筒部１６ａ，１６ｂの後方部内面側には回転軸４の回転に伴う突起部６ａ，６ｂの押圧で夫々の摺動コマが前後動するためのカム溝１５ａ，１５ｂが形成されている。
又、摺動コマ１４ａ，１４ｂの外周には、上記後軸１のガイド用のリブ２に回転止め係合する溝２８ａ，２８ｂが設けられている。
【００１１】
従って、摺動コマ１４ａ，１４ｂの側面に設けた溝２８ａ，２８ｂがガイド用のリブ２と夫々噛み合うことにより、摺動コマ１４ａ，１４ｂを円滑に前後動させる。又、摺動コマ１４ａ，１４ｂの横断面形状は略Ｄ形を成している。従って、従来例でよく示される、相対向する２つのガイド溝を有したガイド筒を取付ける複雑な構成を必要としない利点がある。
又、摺動コマ１４ａ，１４ｂは夫々の平坦側が相対接するが、相互間の摺動をより円滑とする為に、摺動コマ１４ａにガイド用突起２７ａが、摺動コマ１４ｂにはガイド突起２７ａが嵌挿するガイド溝（図示せず）が設けられている。
【００１２】
そして、回転軸４は上記摺動コマ１４ａ，１４ｂに突起部６ａ，６ｂを係合させた状態で後軸１の内孔に挿入され、大径部７の後端が後軸の段部１ｂに当接されると共に、後軸１の後端と操作体９の後端部１０ａの前端との間にスプリング１３が付勢された状態で回転軸４の後端軸部８ａに上記操作体９が止着される。その時、回転軸の係止部８が操作体の後端部１０ａの孔部に係合し、回転軸４と操作体９は一体に固定されて、後軸１に対し操作体９を回転することで回転軸４が回転し、それと共に一方の摺動コマが前進し、他方の摺動コマが後退する。又、操作体９の後端に天冠１１が固着される。
以上で、後軸１に対し天冠１１をノックすることで回転軸４が軸推移してそれと連動して摺動コマ１４ａ，１４ｂが軸推移する。
【００１３】
ところで、上記摺動コマ１４ａ，１４ｂの先方で相対向する、後軸１の軸心側の側面に凹部２５ａ，２５ｂが設けられ、その凹部の前面にそれぞれ後方側に傾斜面を有したカム部１７ａ，１７ｂが形成されて、又、摺動コマの前進位置における凹部側面と同位置の直上で後軸１に窓部２４が穿設され、該窓部２４の後端に軸支され（軸支部２４ａ）先端部２６ｂが後軸の軸心側に可動するサイド釦２６が装着される。
又、サイド釦２６の後軸挿入側の両側面に適宜膨出状の係止部２６ａを形成して、係止部２６ａを窓部２４の後軸１内孔壁に係合させてサイド釦２６の窓部２４からの抜けが防止される。
この状態でサイド釦２６を押圧して後軸内に押し込むと、先端部２６ｂがカム部１７ａに衝接し、カム部の傾斜面に沿って摺動することで摺動コマ１４ａを前進させ、シャープペンシル筆記体２１ａを前進させる。
【００１４】
又、摺動コマ１４ａ，１４ｂの挿入孔に夫々シャープペンシル筆記体２１ａ，２１ｂの後端部（芯パイプ２３ａ，２３ｂを介して）が止着され、後軸１の前方に先軸１８が固定される。
以上で、図１及び図２に示すように、上記サイド釦２６の上面を押圧することでサイド釦２６が凹部２５ａに挿入すると共に先端部２６ｂが摺動コマ１４ａのカム部１７ａの傾斜面に衝接し、摺動コマ１４ａを前進させてそれと連動してシャープペンシル筆記体２１ａを前進させて芯を繰り出し可能とする。
又、シャープペンシル筆記体２１ａ，２１ｂは通常の複式筆記具に使用されるものであって、異なる色又は芯径のシャープ芯を繰り出し可能とする。
又、実施例によれば、天冠１１の後端をノックすると摺動コマ１４ａと連動して芯パイプ２３ａが軸推移して芯を繰り出すことも可能である。
【００１５】
【作用】
後軸１に対して操作体９を略１２０度回転すると回転軸４の回転に伴う突起部６ａ，６ｂが摺動コマ１４ａ，１４ｂのカム溝１５ａ，１５ｂに沿って回動して、何れか一方の摺動コマが前進、他方が後退して、前進側のシャープペンシル筆記体の先端部を先軸１８の先端口から突出させることが可能となる。
【００１６】
図６乃至図８は回転軸４の回転に対して摺動コマ１４ａ，１４ｂが前後動する状態を示している。尚、回転軸に対し夫々の摺動コマが重なりあう為、説明上分離して示している。
先ず、図１はシャープペンシル筆記体２１ａを突出した状態を示しており、その状態に対応する回転軸と摺動コマの関係が図６となる。又、その時、後軸１のリブ１ａが回転軸の大径部７の溝７ａの当接部７ｃに当接して一方の回転規制がなされる。（図３に示す）
この状態でサイド釦２６を押圧して後軸内に押し込むと、先端部２６ｂがカム部１７ａに衝接して摺動コマ１４ａを前進させ、シャープペンシル筆記体２１ａを前進させる。押圧を解除すると元に戻る。従って、サイド釦２６の押圧．解除を繰り返すことで芯が繰り出される。
【００１７】
次に、回転軸４を回転すると摺動コマ１４ａが後退してシャープペンシル筆記体２１ａの先端部が先軸１８内に没入すると共に、摺動コマ１４ｂが前進する。その時、筆記先端部が先軸１８内に収容された携帯状態となり、その状態に対応する回転軸と摺動コマの関係が図７となる。
【００１８】
更に回転軸４を回転すると摺動コマ１４ａが更に後退し、摺動コマ１４ｂが更に前進してシャープペンシル筆記体２１ｂの先端部が先軸１８の先端口から突出する。その状態に対応する回転軸と摺動コマの関係が図８となる。
又、図３に示す回転軸の大径部７の溝７ａの当接部７ｄが後軸のリブ１ａに当接して他方の回転規制がなされる。
この状態でサイド釦２６の押圧．解除を繰り返すことで上記と同様に芯が繰り出される。
【００１９】
又、一方をボールペン等筆記体と  した場合で、回転軸の大径部７後方の軸部７ｂ周面にリブ等を設けて後軸１後端に略当接するように設ければボールペン筆記体の突出時や筆記体の収納時にノックできないようにすることも可能である。但し、シャープペンシル筆記体の突出時にはリブが後軸後端に嵌入してノックが阻害されない構成が必要である。
【００２０】
【発明の効果】
本発明の複式筆記具の構成及び作用は以上の如くであり、単純な構造で少なくとも１種をシャープペンシルとして２種の筆記体を備え、シャープペンシルの使用時に於いては一々軸筒を持ち替えなくとも芯を繰り出せるので、使い勝手が良く、携帯に便利な複式筆記具が提供可能となる。
【図面の簡単な説明】
【図１】本発明の一実施例である複式筆記具の全体を示す縦断面図で、一部非断面で示されている。
【図２】図１に於けるＣ−Ｃ断面状態でシャープペンシルの突出側を透視して示した図である。
【図３】図１に於けるＡ−Ａ断面図を示している。
【図４】回転軸の形状を示す斜視図である。
【図５】一方の摺動コマ１４ａの図１に示すＢ断面後方部位を示した斜視図である。
【図６】回転軸の回転に伴う回転軸と摺動コマの位置関係を説明した図で、シャープペンシル筆記体２１ａを突出した状態の位置関係を示している。
【図７】回転軸の回転に伴う回転軸と摺動コマの位置関係を説明した図で、筆記体を先軸内に収容した状態の位置関係を示している。
【図８】回転軸の回転に伴う回転軸と摺動コマの位置関係を説明した図で、シャープペンシル筆記体２１ｂを突出した状態の位置関係を示している。
【符号の説明】
１  後軸
１ａ  リブ
１ｂ  段部
２  ガイド用のリブ
３  雄螺子
４  回転軸
５  小径部
６ａ  突起部
６ｂ  突起部
７  大径部
７ａ  溝
７ｂ  軸部
７ｃ  当接部
７ｄ  当接部
８  係止部
８ａ  軸部
８ｂ  割り溝
８ｃ  鍔部
８ｄ  溝
９  操作体
１０  筒部
１１  天冠
１２  クリップ
１３  スプリング
１４ａ  摺動コマ
１４ｂ  摺動コマ
１５ａ  カム溝
１５ｂ  カム溝
１６ａ  筒部
１６ｂ  筒部
１７ａ  カム部
１７ｂ  カム部
１８  先軸
１９  雌螺子
２０  内段部
２１ａ  シャープペンシル筆記体
２１ｂ  シャープペンシル筆記体
２２ａ  段部
２２ｂ  段部
２３ａ  芯パイプ
２３ｂ  芯パイプ
２４  窓部
２４ａ  軸支部
２５ａ  凹部
２５ｂ  凹部
２６  サイド釦
２６ａ  係止部
２６ｂ  先端部
２７ａ  ガイド用突起
２８ａ  溝
２８ｂ  溝
【図１】
0003542868.tif 000002
【図２】
0003542868.tif 000003
【図３】
0003542868.tif 000004
【図４】
0003542868.tif 000005
【図５】
0003542868.tif 000006
【図６】
0003542868.tif 000007
【図７】
0003542868.tif 000008
【図８】
0003542868.tif 000009